(57)【要約】【課題】      ハンドルノブの手の指で握持する部位に保護部材を設けて軽量化や強度、握持感や交換の作業性を向上した魚釣用リ−ルのハンドルを提供することである。【解決手段】  ハンドルア−ム２の端部の透孔２ａに支軸５の一端５ａが挿入されて固定され、支軸５の軸部５ｂの外周にハンドルノブ６の透孔６ａと軸受１０が嵌合されて支軸５の他端５ｃにネジ孔５ｄが穿設されてビス１１が螺合されている。  ハンドルノブ６の外形は平面図でＴ字形で、筒部６ｂと側断面球状の長い握り部６ｃで形成され、握り部６ｃの手の指で握持する部位の両面と側部にはＣ字形の凹部６ｄが形成されてＣ字形の凹部６ｄにはＣ字形の保護部材７が嵌め込まれて外れないように取り付けられている。【選択図】        図４
2008061580.tif 000002
【特許請求の範囲】
【請求項１】
釣糸をスプ−ルに巻回するハンドル軸に取り付けられたハンドルア−ムの端部にハンドルノブを設け、該ハンドルノブの手の指で握持する部位に保護部材を設けたことを特徴とする魚釣用リ−ルのハンドル。
【請求項２】
前記保護部材は、前記ハンドルノブに対して着脱可能に設けことを特徴とする請求項１記載の魚釣用リ−ルのハンドル。
【請求項３】
前記保護部材は、滑り防止機能を有していることを特徴とする請求項１または２に記載の魚釣用リ−ルのハンドル。
【請求項４】
前記保護部材は、前記ハンドルノブに形成された凹部に設けられていることを特徴とする請求項１乃至３に記載の魚釣用リ−ルのハンドル。
【発明の詳細な説明】
【技術分野】
【０００１】
本発明は、釣糸の巻き取り操作を行う魚釣用リ−ルのハンドルの改良に関する。
【背景技術】
【０００２】
魚釣用リ−ルは、釣糸をスプ−ルに巻回するハンドル軸にハンドルア−ムに設けたハンドルノブを回転自在に支持することが従来から広く知られており、前記ハンドルノブは、合成樹脂、金属、木材、コルク等の単一材料で形成されているのが現状である。
しかしながら、ハンドルノブを単一材料で形成すると、例えば、金属製のハンドルノブは、強度、耐久性の面で優れているが、冬期等の気温の低い環境下で使用した場合、指先が麻痺して繊細微妙な操作を長時間円滑容易に行うことが困難であったり、水や油で濡れているときに滑り易く、ハンドルノブの操作が一層困難になる欠陥があった。
また、ハンドルノブが合成樹脂、金属、木材、コルク等で形成されたものは、前記低温環境時や濡れた時における前記金属製のハンドルノブの欠陥が防止できると共に、軽量化も図ることができる反面、衝撃や長期使用による摩耗、破損に弱く、耐久性に乏しい欠陥があった。
そこで、外部と接触の多いハンドルノブの端部を含む部分を金属材料で形成して落下時の衝撃や他物との接触に対して十分な強度と耐久性を確保すると共に、ハンドルノブの操作時に指が当接する表面に指に馴染み易い非金属材質部分を形成し、指の滑りと低温時の指の麻痺を防止したものが特許文献１で知られている。
【０００３】
特許文献１で見られる構成のハンドルノブは、金属製のハンドルノブで衝撃および摩耗を防止すると共に、金属製のハンドルノブに合成樹脂やゴム等の非金属部材を嵌着して挾持機能を向上させているが、特許文献１の図２、図３及び図５のように、ハンドルノブの外周面に筒状の非金属部材を密着させる構成では、非金属部材の弾性力を利用してハンドルノブに取り付け取り外ししなければならず、作業性が悪いと共に、実釣時に魚や餌等のヌメリが非金属部材に付着してメンテナンスが困難な場合には新規なものに容易に交換することが困難である。
また、特許文献１の図４のように、ハンドルノブの外周面に板状の非金属部材を密着させる構成では、組み立て時や交換時の作業性は筒状の非金属部材よりも向上する反面、非金属部材の破損、劣化等による密着力の低下によって剥がれてくる虞があり、非金属材質の初期の密着状態を長期に亘って維持することが困難である、といった問題がある。  
【特許文献１】特開２００１−２８９８４号公報
【発明の開示】
【発明が解決しようとする課題】
【０００４】
解決しようとする問題点は、特許文献１に見られる構成のハンドルノブは、金属製のハンドルノブで衝撃および摩耗を防止すると共に、金属製のハンドルノブに合成樹脂やゴム等の非金属部材を嵌着して挾持機能を向上させているが、ハンドルノブの外周面に筒状の非金属部材を密着させる構成では、非金属部材の弾性力を利用してハンドルノブに取り付け取り外ししなければならず、作業性が悪いと共に、実釣時に魚や餌等のヌメリが非金属部材に付着してメンテナンスが困難な場合には新規なものに容易に交換することが困難である。
また、ハンドルノブの外周面に板状の非金属部材を密着させる構成では、組み立て時や交換時の作業性が筒状の非金属部材よりも向上する反面、非金属部材の破損、劣化等による密着力の低下によって剥がれてくる虞があり、非金属材質の初期の密着状態を長期に亘って維持することが困難である。
【０００５】
本発明は、前記事情に着目してなされたものであり、ハンドルノブの手の指で握持する部位に保護部材を設けて軽量化や強度、握持感や交換時の作業性を向上した魚釣用リ−ルのハンドルを提供することを目的とする。
【課題を解決するための手段】
【０００６】
本発明の請求項１は、釣糸をスプ−ルに巻回するハンドル軸に取り付けられたハンドルア−ムの端部にハンドルノブを設け、該ハンドルノブの手の指で握持する部位に保護部材を設けたことを要旨とするものである。
本発明の請求項２は、前記保護部材は、前記ハンドルノブに対して着脱可能に設けことを要旨とするものである。
本発明の請求項３は、前記保護部材は、滑り防止機能を有していることを要旨とするものである。
本発明の請求項４は、前記保護部材は、前記ハンドルノブに形成された凹部に設けられていることを要旨とするものである。
【発明の効果】
【０００７】
本発明の請求項１よれば、ハンドルア−ムに取り付けられたハンドルノブの手の指で握持する部位に保護部材を設けたことで、ハンドルノブを頻繁に使用する部分の劣化等による摩耗や変色を防止できる。
また、ハンドルノブの材質に適した保護部材（例えば、ハンドルノブが金属の場合にはフェルトやメッシュ布等の軽量化に優れた部材、ハンドルノブがコルクや木材の場合には金属や合成樹脂等の耐久性に優れた部材）を用いることで、ハンドルノブの軽量化や強度、握持感の向上を図ることができる。
本発明の請求項２よれば、保護部材を着脱可能にしたことで、実釣時に魚や餌等のヌメリが保護部材に付着してメンテナンスが困難な場合には新規なものに容易に交換することができると共に、釣人の好みに応じた保護部材が選択可能となり、又、意匠性に優れたハンドルノブを提供することができる。
本発明の請求項３よれば、保護部材に滑り止め機能を持たせたことで、ハンドルノブのグリップ性の向上を図ることができ、実用性が向上する。
本発明の請求項４よれば、保護部材をハンドルノブに形成された凹部に設けることで、保護部材の取り付け位置が明確になるので、保護部材の組み立てや交換の作業性が向上する。
【発明を実施するための最良の形態】
【０００８】
ハンドルア−ム２の端部の透孔２ａに支軸５の一端５ａが挿入されて固定されている。
支軸５の軸部５ｂの外周にハンドルノブ６の透孔６ａと軸受１０が嵌合されている。
支軸５の他端５ｃにネジ孔５ｄが穿設されてビス１１が螺合されている。
ハンドルノブ６の外形は、平面図でＴ字形で、筒部６ｂと側断面球状で長い握り部６ｃで形成されている。
握り部６ｃの手の指で握持する部位の両面と側部にはＣ字形の凹部６ｄが形成されている。
Ｃ字形の凹部６ｄにはＣ字形の保護部材７が嵌め込まれて外れないように取り付けられている。
Ｃ字形の凹部６ｄにＣ字形の保護部材７が外れないように取り付けられているが、接着剤を用いてもよいし、凹部６ｄと保護部材７の両者に鈎状の係合部を設けて迅速に着脱可能としてもよい。
【実施例１】
【０００９】
以下、本発明の実施形態を図面に基づいて詳細に説明する。
図１から図４は、第１実施例で魚釣用リ−ルを魚釣用スピニングリ−ルで述べると、図１は魚釣用スピニングリ−ルの側面図、図２はハンドルノブの（ａ）は拡大側面図で（ｂ）は拡大平面図で（ｃ）は他の拡大側面図、図３はハンドルノブの拡大断面側面図、図４はハンドルノブの保護部材を外した（ａ）は拡大平面図で（ｂ）は拡大側面図である。
【００１０】
魚釣用スピニングリ−ルは、リ−ル本体１の一側から図示しないハンドル軸が突出してハンドル軸にハンドルア−ム２が取り付けられている。
リ−ル本体１の前側にはロ−タ３が回転自在に設けられ、ロ−タ３の前側にスプ−ル４が前後往復動自在に設けられている。
ハンドルア−ム２の端部の透孔２ａに支軸５の一端５ａが挿入されて固定されている。
支軸５の軸部５ｂの外周にハンドルノブ６の透孔６ａと軸受１０が嵌合されている。
支軸５の他端５ｃにネジ孔５ｄが穿設されてビス１１が螺合されている。
ハンドルノブ６の外形は、平面図でＴ字形で、筒部６ｂと側断面球状で長い握り部６ｃで形成されている。
握り部６ｃの手の指で握持する部位の両面と側部にはＣ字形の凹部６ｄが形成されている。
Ｃ字形の凹部６ｄにはＣ字形の保護部材７が嵌め込まれて外れないように取り付けられている。
Ｃ字形の凹部６ｄにＣ字形の保護部材７が外れないように取り付けられているが、接着剤を用いてもよいし、凹部６ｄと保護部材７の両者に鈎状の係合部を設けて迅速に着脱可能としてもよい。
【００１１】
ハンドルノブ６は、合成樹脂、金属、コルク、木材等の単一材料で形成されている。
保護部材７はハンドルノブ６の材質に適した素材が用いられる。
例えば、ハンドルノブ６が金属の場合には、フェルトやメッシュ布等の軽量化に優れた部材が用いられる。
ハンドルノブ６がコルクや木材の場合には、金属や合成樹脂等の耐久性に優れた部材が用いられる。
保護部材７の外表面には、滑り防止機能を有する複数の凸部７ａが形成されている。
保護部材７の外表面には、滑り防止機能を有する複数の凹部や突堤状を形成してもよいし、適宜色彩を施してもよい。
【００１２】
魚釣用スピニングリ−ルのハンドルの動作は、ハンドルア−ムに取り付けられたハンドルノブ６の保護部材７の外表面を握り、釣糸がスプ−ル４に巻回される方向にハンドルノブ６が回転されると、ロ−タ３が回転されると共にスプ−ル４が前後往復動され、ロ−タ３の一方のベ−ル支持部材１２に設けられた釣糸案内部のロ−ラ１３で釣糸が案内されてスプ−ル４に平行に巻回される。
【００１３】
前記のように魚釣用スピニングリ−ルのハンドルが構成されると、ハンドルノブ６の手の指で握持する部位に保護部材７を設けたことで、頻繁に使用する部分の劣化等による摩耗や変色を防止できる。
また、ハンドルノブ６の材質に適した保護部材７（例えば、ハンドルノブが金属の場合にはフェルトやメッシュ布等の軽量化に優れた部材、ハンドルノブがコルクや木材の場合には金属や合成樹脂等の耐久性に優れた部材）を用いることで、ハンドルノブの軽量化や強度、握持感の向上を図ることができる。
保護部材７を着脱可能にしたことで、実釣時に魚や餌等のヌメリが保護部材に付着してメンテナンスが困難な場合には新規なものに容易に交換することができると共に、釣人の好みに応じた保護部材が選択可能となり、又、意匠性に優れたハンドルノブを提供することができる。
保護部材７に滑り止め機能を持たせたことで、ハンドルノブのグリップ性の向上を図ることができ、実用性が向上する。
保護部材７をハンドルノブ６に形成された凹部６ｄに設けることで、保護部材７の取り付け位置が明確になり、組み立て時や交換時の作業性が向上する。
【実施例２】
【００１４】
図５は、第２実施例でハンドルノブの保護部材を外した斜視図である。
第２実施例では、保護部材７の外表面に複数の凸部７ａからなる滑り防止機能が施され、且つ、ハンドルノブ６の凹部６ｄ内に保護部材７の凸部７ｂが係合する係合凹部６ｅが形成されて、保護部材７が実用時にハンドルノブ６から外れないように着脱可能（係合凹部６ｅに凸部７ｂが弾性係止されている）に取り付けられている。
【実施例３】
【００１５】
図６は、第３実施例でハンドルノブの（ａ）は一部断面側面図で（ｂ）は一部断面平面図で（ｃ）は他の一部断面側面図である。
第３実施例では、保護部材７の外表面に複数の凹部７ｃからなる滑り防止機能が施され、且つ、ハンドルノブ６の凹部６ｄ内に形成された凸部６ｉに保護部材７の凹部７ｄがスライド式に挿入されると共に、ハンドルノブ６の凹部６ｄ内に保護部材７の凸部７ｅが係合する係合凹部６ｊが形成されて、保護部材７が実用時にハンドルノブ６から外れないように着脱可能（係合凹部６ｊに凸部７ｅが弾性係止されている）に取り付けられている。
【実施例４】
【００１６】
図７から図９は、第４実施例で魚釣用リ−ルを魚釣用両軸受型リ−ルで述べると、図７は魚釣用両軸受型リ−ルの一部断面平面図、図８はハンドルノブの拡大断面平面図、図９は図８のＦ８−Ｆ８線の断面側面図である。
【００１７】
第４実施例の魚釣用両軸受型リ−ルは枠体８の内側に図示しないスプ−ル軸でスプ−ル４′が回転自在に支持されている。
枠体８の一側に側板９が設けられ、側板９から外側に図示しないハンドル軸が突出されてハンドル軸にハンドルア−ム２′が取り付けられている。
ハンドルア−ム２′の両端部の透孔２ａに支軸５の一端５ａが挿入されて固定されている。
支軸５の軸部５ｂの外周にハンドルノブ６′の透孔６ｅと軸受１０が嵌合されている。
支軸５の他端５ｃにネジ孔５ｄが穿設されてビス１１が螺合されている。
【００１８】
ハンドルノブ６′の外形は偏平形の握り部６ｆで形成されている。
握り部６ｆの手の指で握持する部位の両面に例えば卵形の凹部６ｇと凹部６ｇから中心に向かう凹部６ｈが形成されている。
凹部６ｇには保護部材７′が嵌め込まれて外れないように取り付けられている。
保護部材７′の裏面には突部７ａが形成されて凹部６ｈに挿入されている。
凹部６ｇに保護部材７′が外れないように取り付けられているが、接着剤を用いてもよいし、突部７ａと凹部６ｈに鈎状の係合部を設けて着脱可能としてもよい。
他の構成は、前記第１実施例と同様であるため、それらの説明は省略する。
なお、第１から第３実施例のハンドルノブ６の形状を第４実施例に実施してもよい。
【産業上の利用可能性】
【００１９】
また、本発明は、前述した実施形態に限定されることなく、その要旨を逸脱しない範囲で種々変形実施が可能である。
さらに、魚釣用リ−ルとして魚釣用スピニングリ−ルと魚釣用両軸受型リ−ルを図示したが、他のタイプのリ−ルに実施してもよい。
【図面の簡単な説明】
【００２０】
【図１】第１実施例で、魚釣用スピニングリ−ルの側面図である。
【図２】同ハンドルノブの（ａ）は拡大側面図で（ｂ）は拡大平面図で（ｃ）は他の拡大側面図である。
【図３】同ハンドルノブの拡大断面側面図である。
【図４】同ハンドルノブの保護部材を外した（ａ）は拡大平面図で（ｂ）は拡大側面図である。
【図５】第２実施例で、ハンドルノブの保護部材を外した斜視図である。
【図６】第３実施例で、ハンドルノブの（ａ）は一部断面側面図で（ｂ）は一部断面平面図で（ｃ）は他の一部断面側面図である。
【図７】第４実施例で、魚釣用両軸受型リ−ルの一部断面平面図である。
【図８】同ハンドルノブの拡大断面平面図である。
【図９】同図８のＦ８−Ｆ８線の断面側面図である。
【符号の説明】
【００２１】
２、２′  ハンドルア−ム
４、４′  スプ−ル
６、６′  ハンドルノブ
７、７′  保護部材
【図１】
2008061580.tif 000003
【図２】
2008061580.tif 000004
【図３】
2008061580.tif 000005
【図４】
2008061580.tif 000006
【図５】
2008061580.tif 000007
【図６】
2008061580.tif 000008
【図７】
2008061580.tif 000009
【図８】
2008061580.tif 000010
【図９】
2008061580.tif 000011